(57)【特許請求の範囲】
【請求項１】
下端部に水道水（Ｗ）の流入口（８ａ）及び流出口（９ａ）を有すると共に、上端部にフランジ（３ｃ）を備えた有底筒状の容器本体（３）と、容器本体（３）のフランジ（３ｃ）に対向するフランジ（４ｃ）を有し、容器本体（３）の開口を開閉するキャップ（４）と、容器本体（３）の上端部内周面及びキャップ（４）の下端部内周面に嵌合される筒状の内筒（５）と、容器本体（３）のフランジ（３ｃ）及びキャップ（４）のフランジ（４ｃ）に嵌め込まれ、両フランジ（３ｃ），（４ｃ）を締め付け固定する半割り構造の環状のクランプ（６）とから成り、容器本体（３）とキャップ（４）との間の空間に水道水（Ｗ）を浄化するカートリッジ（２）を収容するようにした家庭用浄水器の容器（１）であって、前記内筒（５）の上端を溶接（Ｔ）によりキャップ（４）の内周面へ全周に亘って気密状に接合し、又、前記内筒（５）の下端部を容器本体（３）の上端部内周面に密接する状態で着脱自在に嵌合すると共に、内筒（５）の外周面と容器本体（３）の上端部内周面との間をＯリング（７）によりシールするようにしたことを特徴とする家庭用浄水器の容器。
【請求項２】
下端部に水道水（Ｗ）の流入口（８ａ）及び流出口（９ａ）を有すると共に、上端部にフランジ（３ｃ）を備えた有底筒状の容器本体（３）と、容器本体（３）のフランジ（３ｃ）に対向するフランジ（４ｃ）を有し、容器本体（３）の開口を開閉するキャップ（４）と、容器本体（３）の上端部内周面及びキャップ（４）の下端部内周面に嵌合される筒状の内筒（５）と、容器本体（３）のフランジ（３ｃ）及びキャップ（４）のフランジ（４ｃ）に嵌め込まれ、両フランジ（３ｃ），（４ｃ）を締め付け固定する半割り構造の環状のクランプ（６）とから成り、容器本体（３）とキャップ（４）との間の空間に水道水（Ｗ）を浄化するカートリッジ（２）を収容するようにした家庭用浄水器の容器（１）であって、前記内筒（５）の下端を溶接（Ｔ）により容器本体（３）の上端部内周面へ全周に亘って気密状に接合し、又、前記内筒（５）の上端部をキャップ（４）の下端部内周面に密接する状態で着脱自在に嵌合すると共に、内筒（５）の外周面とキャップ（４）の下端部内周面との間をＯリング（７）によりシールするようにしたことを特徴とする家庭用浄水器の容器。
【請求項３】
容器本体（３）のフランジ（３ｃ）が、外方へ上向き傾斜姿勢で突設する環状部（３ｃ′）と、この環状部（３ｃ′）に連設された上向きの環状の突出部（３ｃ″）とから成り、又、キャップ（４）のフランジ（４ｃ）が、外方へ下向き傾斜姿勢で突設されて容器本体（３）のフランジ（３ｃ）の環状部（３ｃ′）に対向する環状部（４ｃ′）と、この環状部（４ｃ′）に連設されて容器本体（３）の突出部（３ｃ″）の端面に突き合される下向きの環状の突出部（４ｃ″）とから成り、容器本体（３）のフランジ（３ｃ）とキャップ（４）のフランジ（４ｃ）を対向せしめて両フランジ（３ｃ），（４ｃ）に半割り構造の環状のクランプ（６）を密接する状態で嵌め込んで締め付け固定するようにしたことを特徴とする請求項１又は請求項２に記載の家庭用浄水器の容器。
【請求項４】
容器本体（３）のフランジ（３ｃ）とキャップ（４）のフランジ（４ｃ）と内筒（５）の外周面との間にＯリング（７）が嵌め込まれる環状の空間（Ｓ）を形成し、当該空間（Ｓ）にＯリング（７）を嵌め込んで前記両フランジ（３ｃ），（４ｃ）の内面及び内筒（５）の外周面へ夫々密接させるようにしたことを特徴とする請求項１、請求項２又は請求項３に記載の家庭用浄水器の容器。
【発明の詳細な説明】
【技術分野】
【０００１】
本発明は、主に個人住宅やマンション等の水道管の途中（例えば、水道メーターの下流側に位置する水道管）や台所の蛇口等に取り付けられて飲料用や調理用、洗面用、風呂用等に用いる水道水を浄化処理する家庭用浄水器に用いられるものであり、水道水に含まれている塩素や有機物等の有害物質を除去して水道水を浄化処理するカートリッジを収容する家庭用浄水器の容器の改良に関するものである。
【背景技術】
【０００２】
近年、公共の水道水の水質の悪化が問題となっている。これは、水道水の原水そのものの水質が悪化しており、それに伴って浄水場に於いて、酸化剤や滅菌剤として塩素を多量に注入する必要が生じているからである。
水質自体が悪化したり、水道水に多量の塩素が含まれていると、味が悪くなったり、異臭がしたり、更には人体の健康上の点からも好ましくない。そのため、各家庭に於いては、水道水を浄化処理する浄水器が使用されることが多くなって来ている。この家庭用浄水器は、水道メーターの下流側に位置する水道管や台所の蛇口等に取り付けられているのが一般的である。
【０００３】
従来、この種の家庭用浄水器としては、例えば、一般家庭等の水道メーターの下流側に位置する水道管に介設されて給湯器や台所、浴室、洗面所等で使用する全ての水道水をまとめて浄化処理するようにした浄水器が知られている（例えば、特許文献１参照）。
【０００４】
即ち、前記家庭用浄水器は、図示していないが、水道水の流入口及び浄化された水道水の流出口を形成した開閉可能な密閉状の容器と、容器内に着脱自在に内蔵され、濁度フィルター、繊維状活性炭フィルター及びセラミックスフィルター等から成るカートリッジとから構成されており、容器の流入口及び流出口が水道メーターの下流側に位置する水道管に夫々連通状に接続されている。
又、密閉状の容器は、水道水の流入口及び流出口を形成した基盤部と、基盤部の上面側に取り付けた筒状のケーシングと、ケーシングの上端部に取り付けたヘッドキャップとから構成されており、容器内に内蔵したカートリッジを交換できるようにヘッドキャップがケーシングに対して着脱自在となっている。
【０００５】
而して、前記家庭用浄水器によれば、水道メーターを通った水道水が全て浄水器に流入し、ここで浄化処理されてから水道管に分岐状に接続された複数の分岐管を介して給湯器や台所、浴室、洗面所等へ夫々供給されることになり、家庭内で使用する全ての水道水を浄化処理することができる。
【０００６】
ところで、上述した家庭用浄水器の容器に於いては、容器内の水道水がケーシングとヘッドキャップとの間から外部へ漏れないように、ケーシングの上端部に設けたフランジとヘッドキャップの外周縁部に形成したフランジとを重ね合わせてボルトで締め付け、ケーシングのフランジとヘッドキャップのフランジとの間に介設したＯリングを押えてケーシングとヘッドキャップとの間をシールするようにしている。
ところが、従来の家庭用浄水器の容器に於いては、ボルトの締め付け力でＯリングを押えてシールするようにしているため、ボルトの締め付け力が弱かったり、ボルトが弛んだりすると、容器内の水道水がケーシングとヘッドキャップとの間から外部へ漏れると云う問題があった。
又、従来の家庭用浄水器の容器は、基盤部とケーシングとヘッドキャップの三つの部材から成り、基盤部とケーシングとの間及びケーシングとヘッドキャップとの間を夫々シールするようにしているため、容器自体のシール個所が多くなって容器内の水道水が外部へ漏れ易くなると共に、容器の組立に手数が掛かると云う問題があった。
【特許文献１】特開２００２−５９１５３号公報
【発明の開示】
【発明が解決しようとする課題】
【０００７】
本発明は、このような問題点に鑑みて為されたものであり、その目的はカートリッジを収容する容器のシール性の向上及び組立の簡略化等を図れるようにした家庭用浄水器の容器を提供することにある。
【課題を解決するための手段】
【０００８】
上記目的を達成する為に、本発明の請求項１の発明は、下端部に水道水の流入口及び流出口を有すると共に、上端部にフランジを備えた有底筒状の容器本体と、容器本体のフランジに対向するフランジを有し、容器本体の開口を開閉するキャップと、容器本体の上端部内周面及びキャップの下端部内周面に嵌合される筒状の内筒と、容器本体のフランジ及びキャップのフランジに嵌め込まれ、両フランジを締め付け固定する半割り構造の環状のクランプとから成り、容器本体とキャップとの間の空間に水道水を浄化するカートリッジを収容するようにした家庭用浄水器の容器であって、前記内筒の上端を溶接によりキャップの内周面へ全周に亘って気密状に接合し、又、前記内筒の下端部を容器本体の上端部内周面に密接する状態で着脱自在に嵌合すると共に、内筒の外周面と容器本体の上端部内周面との間をＯリングによりシールするようにしたことに特徴がある。
【０００９】
本発明の請求項２の発明は、下端部に水道水の流入口及び流出口を有すると共に、上端部にフランジを備えた有底筒状の容器本体と、容器本体のフランジに対向するフランジを有し、容器本体の開口を開閉するキャップと、容器本体の上端部内周面及びキャップの下端部内周面に嵌合される筒状の内筒と、容器本体のフランジ及びキャップのフランジに嵌め込まれ、両フランジを締め付け固定する半割り構造の環状のクランプとから成り、容器本体とキャップとの間の空間に水道水を浄化するカートリッジを収容するようにした家庭用浄水器の容器であって、前記内筒の下端を溶接により容器本体の上端部内周面へ全周に亘って気密状に接合し、又、前記内筒の上端部をキャップの下端部内周面に密接する状態で着脱自在に嵌合すると共に、内筒の外周面とキャップの下端部内周面との間をＯリングによりシールするようにしたことに特徴がある。
【００１０】
本発明の請求項３の発明は、請求項１又は請求項２の発明に於いて、容器本体のフランジが、外方へ上向き傾斜姿勢で突設する環状部と、この環状部に連設された上向きの環状の突出部とから成り、又、キャップのフランジが、外方へ下向き傾斜姿勢で突設されて容器本体のフランジの環状部に対向する環状部と、この環状部に連設されて容器本体の突出部の端面に突き合される下向きの環状の突出部とから成り、容器本体のフランジとキャップのフランジを対向せしめて両フランジに半割り構造の環状のクランプを密接する状態で嵌め込んで締め付け固定するようにしたことに特徴がある。
【００１１】
本発明の請求項４の発明は、請求項１、請求項２又は請求項３の発明に於いて、容器本体のフランジとキャップのフランジと内筒の外周面との間にＯリングが嵌め込まれる環状の空間を形成し、当該空間にＯリングを嵌め込んで前記両フランジの内面及び内筒の外周面へ夫々密接させるようにしたことに特徴がある。
【発明の効果】
【００１２】
本発明の家庭用浄水器の容器は、上端部にフランジを備えた有底筒状の容器本体と、容器本体のフランジに対向するフランジを有し、容器本体の開口を開閉するキャップと、容器本体の上端部内周面及びキャップの下端部内周面に嵌合される筒状の内筒と、容器本体のフランジ及びキャップのフランジに嵌め込まれ、両フランジを締め付け固定する半割り構造の環状のクランプとから成り、内筒の上端を溶接によりキャップの内周面へ又は内筒の下端を溶接により容器本体の上端部内周面へ夫々全周に亘って気密状に接合し、又、内筒の下端部を容器本体の上端部内周面へ又は内筒の上端部をキャップの下端部内周面へ夫々密接する状態で着脱自在に嵌合すると共に、内筒の外周面と容器本体の上端部内周面との間又は内筒の外周面とキャップの下端部内周面との間を夫々Ｏリングによりシールするようにしているため、例えクランプの締め付け力が弱い場合であっても、容器本体とキャップとの間から内部の水道水が外部へ漏れると云うことがない。その結果、容器の内部から外部への水漏れを確実に防止することができ、シール性の向上を図れる。
又、本発明の家庭用浄水器の容器は、容器のシール個所が容器本体と内筒との間又はキャップと内筒との間の一個所だけになっていると共に、容器本体及びキャップの内周面に密接する状態で嵌合された内筒によって、容器本体とキャップの接続部（シール個所）が強化された格好になっているため、容器の内部から外部への水漏れをより確実に防止することができ、シール性の大幅な向上を図れる。
更に、本発明の家庭用浄水器の容器は、内筒の上端を溶接によりキャップの内面へ又は内筒の下端を溶接により容器本体の上端部内周面へ夫々取り付け、内筒の下端部を容器本体の上端部内周面へ又は内筒の上端部をキャップの下端部内周面へ夫々嵌め込むようにしているため、容器本体とキャップを組み立てる際に内筒がガイドの役目を果たすことになり、容器本体にキャップを正確な状態で簡単且つ容易に取り付けることができる。
そのうえ、本発明の家庭用浄水器の容器は、容器本体のフランジが上向き傾斜姿勢の環状部を備えていると共に、キャップのフランジが下向き傾斜姿勢の環状部を備えているため、容器本体のフランジとキャップのフランジを対向せしめて両フランジに半割り構造の環状のクランプを密接する状態で嵌め込んで締め付けたときに、両フランジの環状部が楔の役目を果たし、容器本体のフランジとキャップのフランジとがより強固に締め付けられることになり、シール性の向上を図れる。
加えて、本発明の家庭用浄水器の容器は、容器本体のフランジとキャップのフランジと内筒の外周面との間にＯリングが嵌め込まれる環状の空間を形成し、当該空間にＯリングを嵌め込んで前記両フランジの内面及び内筒の外周面へ夫々密接させるようにしているため、容器本体とキャップとの間をより確実にシールすることができる。
【発明を実施するための最良の形態】
【００１３】
以下、本発明の実施の形態を図面に基づいて詳細に説明する。
図１は本発明の第１の実施形態に係る容器１を用いた家庭用浄水器を示し、当該家庭用浄水器は、個人住宅やマンション等の水道メーターの下流側の水道管（図示省略）や台所の蛇口（図示省略）等に取り付けられており、飲料用や調理用、洗面用、風呂用等に用いる水道水Ｗを浄化処理するようにしたものである。
【００１４】
即ち、前記家庭用浄水器は、水道管や蛇口等に接続される開閉可能な密閉状の容器１と、容器１内に着脱自在に収容されて塩素や有機物等の有害物質を除去するフィルター１１を備えたカートリッジ２とから構成されており、カートリッジ２が交換可能な縦型の浄水器となっている。
【００１５】
前記容器１は、図１に示す如く、水道水Ｗの流入口８ａ及び流出口９ａを有する有底筒状の容器本体３と、容器本体３の開口を開閉するキャップ４と、容器本体３の内周面及びキャップ４の内周面に密接する状態で嵌合された筒状の内筒５と、容器本体３に形成したフランジとキャップ４に形成したフランジとを締め付け固定する半割り構造の環状のクランプ６とから成り、内筒５の上端を溶接Ｔによりキャップ４の内周面へ全周に亘って気密状に接合し、又、内筒５の下端部を容器本体３の上端部内周面に密接する状態で着脱自在に嵌合すると共に、内筒５の外周面と容器本体３の上端部内周面との間をＯリング７によりシールするようにしたものである。
【００１６】
具体的には、容器本体３は、図１に示す如く、耐食性及び耐熱性等に優れたステンレス材により有底筒状に形成されており、円板状の底壁部３ａと、底壁部３ａの外周縁部に連設された上向きの筒状の周壁部３ｂと、周壁部３ｂの上端に連設されて外方へ水平姿勢で突設する環状のフランジ３ｃとから成る。
更に、容器本体３の周壁部３ｂの下端部位置には、水道水Ｗの流入口８ａを形成する直管状の入口側配管８と水道水Ｗの流出口９ａを形成する略Ｌ字形の出口側配管９とが気密状に挿通固定されている。これら入口側配管８及び出口側配管９の先端部は、ユニオンナット（図示省略）を介して水道管に夫々接続されている。又、出口側配管９の基端部は、容器本体３の下部空間に鉛直姿勢で配置されており、水道水Ｗの流出口９ａに連通してカートリッジ２を鉛直姿勢で着脱自在に支持する筒状の支持部９ｂとなっている。
【００１７】
キャップ４は、図１に示す如く、耐食性及び耐熱性等に優れたステンレス材により略お椀形状に形成されており、お椀状の天井壁部４ａと、天井壁部４ａの外周縁部に連設されて下向きの短い筒状の周壁部４ｂと、周壁部４ｂの下端に連設されて外方へ水平姿勢で突設すると共に容器本体３のフランジ３ｃに対向してこれに重ね合わされる環状のフランジ４ｃとから成る。このキャップ４の周壁部４ｂの内径は、容器本体３の周壁部３ｂの内径と同じ寸法に形成されている。
尚、キャップ４の天井壁部４ａには、キャップ４内に溜まる空気を外部へ逃がす空気抜き弁１０が設けられている。
【００１８】
内筒５は、図１に示す如く、耐食性及び耐熱性等に優れたステンレス材により円筒状に形成されており、容器本体３の周壁部３ｂの上端部内周面に嵌合される下端部外周面には、ゴム製のＯリング７が嵌め込まれる環状のＯリング溝５ａが上下に２列形成されている。
又、内筒５の上端部は、キャップ４の下端部内周面（周壁部４ｂ内周面）に密接する状態で嵌合されており、その上端がＴＩＧ溶接やレーザー溶接、プラズマ溶接等の溶接Ｔによりキャップ４の内周面へ全周に亘って気密状に接合されている。
更に、内筒５の下端部は、各Ｏリング溝５ａにゴム製のＯリング７を夫々嵌め込んだ状態で容器本体３の周壁部３ｂの上端部内周面に着脱自在に嵌合されている。このとき、Ｏリング７が内筒５の下端部外周面と容器本体３の内周面に密接して容器本体３の内周面と内筒５の外周面との間をシールすることになる。
この内筒５は、容器本体３とキャップ４の接続部を強化する役目を果たすと共に、容器本体３とキャップ４を組み立てる際にガイドとしての機能を有するものである。
【００１９】
クランプ６は、図１に示す如く、容器本体３のフランジ３ｃ及びキャップ４のフランジ４ｃに密接する状態で嵌め込まれ、両フランジ３ｃ，４ｃを締め付け固定するものであり、図２（Ａ）及び（Ｂ）に示す如く、断面形状がコの字形の環状部材を半割りにすることにより形成されたステンレス材製又はプラスチック製の二つの円弧状部材６ａと、二つの円弧状部材６ａの一端部同士を回動自在に連結する連結軸６ｂと、二つの円弧状部材６ａの他端部に夫々形成された重合自在な締め付け片６ｃと、両締め付け片６ｃを連結固定するボルト６ｄ・ナット６ｅとから成る。
そして、このクランプ６は、重ね合わされた容器本体３のフランジ３ｃとキャップ４のフランジ４ｃに二つの円弧状部材６ａを密接する状態で嵌め込み、両円弧状部材６ａの締め付け片６ｃ同士を重ね合わせて両者をボルト６ｄ・ナット６ｅで連結固定することによって、容器本体３のフランジ３ｃとキャップ４のフランジ４ｃを締め付け固定することができる。
【００２０】
一方、前記カートリッジ２は、図１に示す如く、水道水Ｗが半径方向へ流通して水道水Ｗに含まれている塩素やトリハロメタン等の有害物質を除去する中空円筒状のフィルター１１と、フィルター１１の上端部を支持する円板状の上部支持板１２と、出口側配管９の支持部９ｂに着脱自在に挿入支持され、フィルター１１の下端部を支持する下部支持板１３とから構成されており、下部支持板１３の中心部に出口側配管９の支持部９ｂに着脱自在に挿入支持される筒状の挿入部１３ａを下向きに突出形成し、当該支持部９ｂを出口側配管９の支持部９ｂに挿入することによって、容器本体３内に縦向き姿勢で支持されている。
尚、下部支持板１３の挿入部１３ａの外周面には、ゴム製のＯリング７が嵌め込まれる環状のＯリング溝１３ｂが形成されている。
又、フィルター１１は、活性コークス炭を繊維状にして円筒状に固化した繊維状活性炭フィルターから成る。この繊維状活性炭フィルターは、粒状活性炭と比較して同体積で１０倍以上の塩素除去力を持ち、流量も大きくて処理推量も３倍以上である。
【００２１】
次に、上述した構造の家庭用浄水器を一般家庭で使用する場合について説明する。
前記家庭用浄水器は、例えば、一般家庭の水道メーターの二次側の水道管（図示省略）に介設されており、容器１の入口側配管８（流入口８ａ）には水道メーターに接続された水道管の一端部が接続され、又、容器１の出口側配管９（流出口９ａ）には家庭内の水道蛇口や給湯器等の末端の水道機器に水道水Ｗを夫々供給する分岐状の水道管の基端部が接続されている。
【００２２】
水道本管から水道メーター及び水道管を経て容器１の流入口８ａに流入した水道水Ｗは、流入口８ａから容器１内に流入し、容器本体３とフィルター１１との間に形成された環状の空間内を上方へ流れると共に、徐々にフィルター１１を通過してフィルター１１の中空部分に流入する。このとき、水道水Ｗに含まれている塩素等の有害物質がフィルター１１により除去される。
フィルター１１の中空部分に達した浄化された水道水Ｗは、フィルター１１の中空部分を下向きに流れて下部支持板１３の挿入部１３ａから流出口９ａへ流出し、流出口９ａから分岐状の水道管を通って建物内へ送られ、飲料用や調理用、洗面用、風呂用用等の水として使用される。
【００２３】
上述した家庭用浄水器の容器１は、内筒５の上端を溶接Ｔによりキャップ４の内周面へ全周に亘って気密状に接合し、又、内筒５の下端部を容器本体３の上端部内周面へ密接する状態で着脱自在に嵌合すると共に、内筒５の外周面と容器本体３の上端部内周面との間をＯリング７によりシールし、更に、容器本体３のフランジ３ｃとキャップ４のフランジ４ｃを重ね合わせて両者を半割り構造の環状のクランプ６で締め付け固定するようにしているため、例えクランプ６の締め付け力が弱い場合であっても、容器本体３とキャップ４との間から内部の水道水Ｗが外部へ漏れると云うことがない。然も、容器１のシール個所が容器本体３と内筒５との間の一個所だけになっていると共に、容器本体３とキャップ４の接続部（シール個所）が内筒５により強化された格好になっている。その結果、容器１の内部から外部への水漏れをより確実に防止することができ、シール性の大幅な向上を図れる。
又、この家庭用浄水器の容器１は、内筒５の上端を溶接Ｔによりキャップ４の内周面へ取り付け、内筒５の下端部を容器本体３の上端部内周面へ嵌め込むようにしているため、容器本体３とキャップ４を組み立てる際に内筒５がガイドの役目を果たすことになり、容器本体３にキャップ４を正確な状態で簡単且つ容易に取り付けることができる。
更に、この家庭用浄水器の容器１は、容器本体３のフランジ３ｃとキャップ４のフランジ４ｃとを半割り構造の環状のクランプ６で締め付け固定するようにしているため、容器本体３とキャップ４との着脱を簡単且つ容易に行うことができ、カートリッジ２の交換を簡単に行える。
【００２４】
図３は本発明の第２の実施形態に係る容器１を示し、当該容器１は、水道水Ｗの流入口８ａ及び流出口９ａを有する有底筒状の容器本体３と、容器本体３の開口を開閉するキャップ４と、容器本体３の内周面及びキャップ４の内周面に密接する状態で嵌合された筒状の内筒５と、容器本体３に形成したフランジ３ｃとキャップ４に形成したフランジ４ｃとを締め付け固定する半割り構造の環状のクランプ６とから成り、内筒５の下端を溶接Ｔにより容器本体３の周壁部３ｂの上端部内周面へ全周に亘って気密状に接合し、又、内筒５の上端部をキャップ４の下端部内周面（周壁部４ｂ内周面）に密接する状態で着脱自在に嵌合すると共に、内筒５の外周面とキャップ４の下端部内周面との間を二本のＯリング７によりシールするようにしたものである。
この容器１は、内筒５の下端を溶接Ｔにより容器本体３へ気密状に取り付け、内筒５の上端部をＯリング７を介してキャップ４の下端部内周面へ着脱自在に嵌合したこと以外は、図１に示す容器１（第１の実施形態に係る容器１）と同様構造に構成されており、図１に示す容器１と同じ部位・部材には同一の参照番号を付し、その詳細な説明を省略する。
この容器１も、上述した第１の実施形態に係る容器１（図１に示す容器１）と同様の作用効果を奏することができる。
【００２５】
図４は本発明の第３の実施形態に係る容器１を示し、当該容器１は、水道水Ｗの流入口８ａ及び流出口９ａを有する有底筒状の容器本体３と、容器本体３の開口を開閉するキャップ４と、容器本体３の内周面及びキャップ４の内周面に密接する状態で嵌合された筒状の内筒５と、容器本体３に形成したフランジ３ｃとキャップ４に形成したフランジ４ｃとを締め付け固定する半割り構造の環状のクランプ６とから成り、内筒５の上端を溶接Ｔによりキャップ４の内周面へ全周に亘って気密状に接合し、又、内筒５の下端部を容器本体３の周壁部３ｂの上端部内周面に密接する状態で着脱自在に嵌合すると共に、内筒５の外周面と容器本体３の上端部内周面との間を二本のＯリング７によりシールし、更に、容器本体３のフランジ３ｃとキャップ４のフランジ４ｃの形状を変えて両フランジ３ｃ，４ｃを半割り構造の環状のクランプ６で締め付け固定するようにしたものである。
【００２６】
即ち、前記容器１に於いては、容器本体３のフランジ３ｃが、外方へ上向き傾斜姿勢で突設する環状部３ｃ′と、この環状部３ｃ′に連設された上向きの環状の突出部３ｃ″とから成り、又、キャップ４のフランジ４ｃが、外方へ下向き傾斜姿勢で突設されて容器本体３のフランジ３ｃの環状部３ｃ′に対向する環状部４ｃ′と、この環状部４ｃ′に連設されて容器本体３のフランジ３ｃの突出部３ｃ″の端面に密接状態で突き合される下向きの環状の突出部４ｃ″とから成り、容器本体３のフランジ３ｃとキャップ４のフランジ４ｃを対向せしめて両フランジ３ｃ，４ｃに半割り構造の環状のクランプ６を密接する状態で嵌め込んで締め付け固定するようにしたものである。
この容器１は、容器本体３のフランジ３ｃとキャップ４のフランジ４ｃの形状を変えたこと以外は、図１に示す容器１（第１の実施形態に係る容器１）と同様構造に構成されており、図１に示す容器１と同じ部位・部材には同一の参照番号を付し、その詳細な説明を省略する。
この容器１も、上述した第１の実施形態に係る容器１（図１に示す容器１）と同様の作用効果を奏することができる。然も、この容器１は、容器本体３のフランジ３ｃが上向き傾斜姿勢の環状部３ｃ′を備えていると共に、キャップ４のフランジ４ｃが下向き傾斜姿勢の環状部４ｃ′を備えているため、容器本体３のフランジ３ｃとキャップ４のフランジ４ｃを対向せしめて両フランジ３ｃ，４ｃに断面形状がコの字形の二つの円弧状部材６ａを密接する状態で嵌め込んで締め付けたときに、両フランジ３ｃ，４ｃの環状部３ｃ′，４ｃ′が楔の役目を果たし、容器本体３のフランジ３ｃとキャップ４のフランジ４ｃとがより強固に締め付けられることになり、シール性の向上を図れる。
【００２７】
図５は本発明の第４の実施形態に係る容器１を示し、当該容器１は、水道水Ｗの流入口８ａ及び流出口９ａを有する有底筒状の容器本体３と、容器本体３の開口を開閉するキャップ４と、容器本体３の内周面及びキャップ４の内周面に密接する状態で嵌合された筒状の内筒５と、容器本体３に形成したフランジ３ｃとキャップ４に形成したフランジ４ｃとを締め付け固定する半割り構造の環状のクランプ６とから成り、内筒５の下端を溶接Ｔにより容器本体３の周壁部３ｂの上端部内周面へ全周に亘って気密状に接合し、又、内筒５の上端部をキャップ４の下端部内周面（周壁部４ｂ内周面）に密接する状態で着脱自在に嵌合すると共に、内筒５の外周面とキャップ４の周壁部４ｂ内周面との間を二本のＯリング７によりシールし、更に、容器本体３のフランジ３ｃとキャップ４のフランジ４ｃの形状を変えて両フランジ３ｃ，４ｃを半割り構造の環状のクランプ６で締め付け固定するようにしたものである。
【００２８】
即ち、前記容器１に於いては、容器本体３のフランジ３ｃが、外方へ上向き傾斜姿勢で突設する環状部３ｃ′と、この環状部３ｃ′に連設された上向きの環状の突出部３ｃ″とから成り、又、キャップ４のフランジ４ｃが、外方へ下向き傾斜姿勢で突設されて容器本体３のフランジ３ｃの環状部３ｃ′に対向する環状部４ｃ′と、この環状部４ｃ′に連設されて容器本体３のフランジ３ｃの突出部３ｃ″の端面に密接状態で突き合される下向きの環状の突出部４ｃ″とから成り、容器本体３のフランジ３ｃとキャップ４のフランジ４ｃを対向せしめて両フランジ３ｃ，４ｃに半割り構造の環状のクランプ６を密接する状態で嵌め込んで締め付け固定するようにしたものである。
この容器１は、容器本体３のフランジ３ｃとキャップ４のフランジ４ｃの形状を変えたこと以外は、図３（第２の実施形態に係る容器１）に示す容器１と同様構造に構成されており、図３に示す容器１と同じ部位・部材には同一の参照番号を付し、その詳細な説明を省略する。
この容器１も、上述した第３の実施形態に係る容器１（図４に示す容器１）と同様の作用効果を奏することができる。
【００２９】
図６は本発明の第５の実施形態に係る容器１を示し、当該容器１は、水道水Ｗの流入口８ａ及び流出口９ａを有する有底筒状の容器本体３と、容器本体３の開口を開閉するキャップ４と、容器本体３の内周面及びキャップ４の内周面に密接する状態で嵌合された筒状の内筒５と、容器本体３に形成したフランジ３ｃとキャップ４に形成したフランジ４ｃとを締め付け固定する半割り構造の環状のクランプ６とから成り、内筒５の上端を溶接Ｔによりキャップ４の内周面へ全周に亘って気密状に接合し、又、内筒５の下端部を容器本体３の周壁部３ｂの上端部内周面に密接する状態で着脱自在に嵌合すると共に、内筒５の外周面と容器本体３の上端部内周面との間を二本のＯリング７によりシールし、更に、容器本体３のフランジ３ｃとキャップ４のフランジ４ｃの形状を変えて容器本体３のフランジ３ｃとキャップ４のフランジ４ｃと内筒５の外周面との間にゴム製のＯリング７が嵌め込まれる環状の空間Ｓを形成し、当該空間ＳにＯリング７を嵌め込んで前記両フランジ３ｃ，４ｃの内面及び内筒５の外周面へ夫々密接させるようにしたものである。
【００３０】
即ち、前記容器１に於いては、容器本体３のフランジ３ｃが、外方へ上向き傾斜姿勢で突設する環状部３ｃ′と、この環状部３ｃ′に連設された上向きの環状の突出部３ｃ″とから成り、又、キャップ４のフランジ４ｃが、外方へ下向き傾斜姿勢で突設されて容器本体３のフランジ３ｃの環状部３ｃ′に対向する環状部４ｃ′と、この環状部４ｃ′に連設されて容器本体３のフランジ３ｃの突出部３ｃ″の端面に密接状態で突き合される下向きの環状の突出部４ｃ″とから成り、容器本体３のフランジ３ｃとキャップ４のフランジ４ｃと内筒５の外周面との間に形成された環状の空間ＳにＯリング７を両フランジ３ｃ，４ｃ内面及び内筒５の外周面に夫々密接する状態で嵌め込み、容器本体３のフランジ３ｃとキャップ４のフランジ４ｃに半割り構造の環状のクランプ６を密接する状態で嵌め込んで締め付け固定するようにしたものである。
この容器１は、容器本体３のフランジ３ｃとキャップ４のフランジ４ｃと内筒５の外周面との間に形成した環状の空間ＳにＯリング７を密接する状態で嵌め込んだこと以外は、図４に示す容器１（第３の実施形態に係る容器１）と同様構造に構成されており、図４に示す容器１と同じ部位・部材には同一の参照番号を付し、その詳細な説明を省略する。
この容器１も、上述した第３の実施形態に係る容器１（図４に示す容器１）と同様の作用効果を奏することができる。然も、この容器１は、容器本体３のフランジ３ｃとキャップ４のフランジ４ｃと内筒５の外周面との間にＯリング７が嵌め込まれる環状の空間Ｓを形成し、当該空間ＳにＯリング７を嵌め込んで前記両フランジ３ｃ，４ｃの内面及び内筒５の外周面へ夫々密接させるようにしているため、容器本体３とキャップ４との間をより確実にシールすることができ、シール性の大幅な向上を図れる。
【００３１】
図７は本発明の第６の実施形態に係る容器１を示し、当該容器１は、水道水Ｗの流入口８ａ及び流出口９ａを有する有底筒状の容器本体３と、容器本体３の開口を開閉するキャップ４と、容器本体３の内周面及びキャップ４の内周面に密接する状態で嵌合された筒状の内筒５と、容器本体３に形成したフランジ３ｃとキャップ４に形成したフランジ４ｃとを締め付け固定する半割り構造の環状のクランプ６とから成り、内筒５の下端を溶接Ｔにより容器本体３の周壁部３ｂの上端部内周面へ全周に亘って気密状に接合し、又、内筒５の上端部をキャップ４の下端部内周面（周壁部４ｂ内周面）に密接する状態で着脱自在に嵌合すると共に、内筒５の外周面とキャップ４の周壁部４ｂ内周面との間を二本のＯリング７によりシールし、更に、容器本体３のフランジ３ｃとキャップ４のフランジ４ｃの形状を変えて容器本体３のフランジ３ｃとキャップ４のフランジ４ｃと内筒５の外周面との間にゴム製のＯリング７が嵌め込まれる環状の空間Ｓを形成し、当該空間ＳにＯリング７を嵌め込んで前記両フランジ３ｃ，４ｃの内面及び内筒５の外周面へ夫々密接させるようにしたものである。
【００３２】
即ち、前記容器１に於いては、容器本体３のフランジ３ｃが、外方へ上向き傾斜姿勢で突設する環状部３ｃ′と、この環状部３ｃ′に連設された上向きの環状の突出部３ｃ″とから成り、又、キャップ４のフランジ４ｃが、外方へ下向き傾斜姿勢で突設されて容器本体３のフランジ３ｃの環状部３ｃ′に対向する環状部４ｃ′と、この環状部４ｃ′に連設されて容器本体３のフランジ３ｃの突出部３ｃ″の端面に密接状態で突き合される下向きの環状の突出部４ｃ″とから成り、容器本体３のフランジ３ｃとキャップ４のフランジ４ｃと内筒５の外周面との間に形成された環状の空間ＳにＯリング７を両フランジ３ｃ，４ｃの内面及び内筒５の外周面に夫々密接する状態で嵌め込み、容器本体３のフランジ３ｃとキャップ４のフランジ４ｃに半割り構造の環状のクランプ６を密接する状態で嵌め込んで締め付け固定するようにしたものである。
この容器１は、容器本体３のフランジ３ｃとキャップ４のフランジ４ｃと内筒５の外周面との間に形成した環状の空間ＳにＯリング７を密接する状態で嵌め込んだこと以外は、図５に示す容器１（第４の実施形態に係る容器１）と同様構造に構成されており、図５に示す容器１と同じ部位・部材には同一の参照番号を付し、その詳細な説明を省略する。
この容器１も、上述した第５の実施形態に係る容器１（図６に示す容器１）と同様の作用効果を奏することができる。
【００３３】
尚、上記の各実施形態に於いては、容器１を構成する容器本体３、キャップ４及び内筒５等の各部品を夫々ステンレス材により形成するようにしたが、他の実施形態に於いては、容器１の各部材を溶接Ｔが可能な他の金属材により形成するようにしても良い。
【００３４】
上記の各実施形態に於いては、内筒５の外周面にＯリング７が嵌め込まれる環状のＯリング溝５ａを上下に２列形成するようにしたが、他の実施形態に於いては、容器本体３の周壁部３ｂの上端部内周面又はキャップ４の周壁部４ｂの内周面にＯリング７が嵌め込まれる環状のＯリング溝（図示省略）を上下に２列形成し、各Ｏリング溝にＯリング７を夫々嵌め込むようにしても良い。又、他の実施形態に於いては、内筒５の外周面、容器本体３の周壁部３ｂの上端部内周面又はキャップ４の周壁部４ｂの内周面にＯリング溝を夫々一つだけ形成するようにしても良い。
【００３５】
上記の各実施形態に於いては、カートリッジ２のフィルター１１には、繊維状活性炭フィルターを使用するようにしたが、他の実施形態に於いては、カートリッジ２のフィルター１１には、粒状活性炭フィルター、セラミックフィルター、綿糸やポリプロピレン製の糸、逆浸透膜、中空糸等から形成したフィルターを使用しても良く、或いはこれらを組み合せたフィルターを使用するようにしても良い。
【図面の簡単な説明】
【００３６】
【図１】本発明の第１の実施形態に係る容器を用いた家庭用浄水器の概略縦断面図である。
【図２】容器本体とキャップを締め付け固定するクランプを示し、（Ａ）はクランプの平面図、（Ｂ）はクランプの側面図である。
【図３】本発明の第２の実施形態に係る容器を用いた家庭用浄水器の概略縦断面図である。
【図４】本発明の第３の実施形態に係る容器を用いた家庭用浄水器の概略縦断面図である。
【図５】本発明の第４の実施形態に係る容器を用いた家庭用浄水器の概略縦断面図である。
【図６】本発明の第５の実施形態に係る容器を用いた家庭用浄水器の概略縦断面図である。
【図７】本発明の第６の実施形態に係る容器を用いた家庭用浄水器の概略縦断面図である。
【符号の説明】
【００３７】
１は家庭用浄水器の容器、２はカートリッジ、３は容器本体、３ｃは容器本体のフランジ、３ｃ′はフランジの環状部、３ｃ″はフランジの突出部、４はキャップ、４ｃはキャップのフランジ、４ｃ′はフランジの環状部、４ｃ″はフランジの突出部、５は内筒、６はクランプ、７はＯリング、８ａは流入口、９ａは流出口、Ｓは環状の空間、Ｔは溶接、Ｗは水道水。
【図１】
0004430604.tif 000002
【図２】
0004430604.tif 000003
【図３】
0004430604.tif 000004
【図４】
0004430604.tif 000005
【図５】
0004430604.tif 000006
【図６】
0004430604.tif 000007
【図７】
0004430604.tif 000008